(57)【特許請求の範囲】
【請求項１】
ディジタルビデオ信号を帯域圧縮しさらに圧縮符号化して記録媒体に記録し、上記記録された上記ディジタルビデオ信号を再生する記録再生装置において、
ディジタルビデオ信号を３：１：１信号に帯域圧縮し、帯域圧縮された輝度信号のサンプルを２チャンネルのそれぞれに振り分けると共に、色差信号のサンプルを上記２チャンネルのそれぞれに対して振り分けて、上記２チャンネルを互いに同一のデータ配列に並び替えて出力する帯域圧縮手段と、
上記帯域圧縮手段で帯域圧縮され２チャンネルに振り分けられたディジタルビデオ信号に対して上記２チャンネルのそれぞれにライン番号を含ませる第１のライン番号付加手段と、
上記第１のライン番号付加手段から出力された上記２チャンネルのディジタルビデオ信号に対してそれぞれ圧縮符号化を行う圧縮符号化手段と、
上記圧縮符号化手段で圧縮符号化された上記２チャンネルのディジタルビデオ信号をそれぞれ記録媒体に記録する記録手段と、
上記記録媒体に上記記録された上記２チャンネルの上記ディジタルビデオ信号をそれぞれ再生する再生手段と、
上記再生手段で再生された上記２チャンネルの再生ディジタルビデオ信号の圧縮符号をそれぞれ復号化する復号化手段と、
上記復号化手段の出力に対して、上記再生ディジタルビデオ信号に基づき生成されたライン番号を含ませる第２のライン番号付加手段と、
上記第２のライン番号付加手段から出力された上記２チャンネルのディジタルビデオ信号の帯域圧縮を伸長する帯域伸長手段と
を有する
ことを特徴とする記録再生装置。
【請求項２】
ディジタルビデオ信号を帯域圧縮しさらに圧縮符号化して記録媒体に記録し、上記記録された上記ディジタルビデオ信号を再生する記録再生方法において、
ディジタルビデオ信号を３：１：１信号に帯域圧縮し、帯域圧縮された輝度信号のサンプルを２チャンネルのそれぞれに振り分けると共に、色差信号のサンプルを上記２チャンネルのそれぞれに対して振り分けて、上記２チャンネルを互いに同一のデータ配列に並び替えて出力する帯域圧縮のステップと、
上記帯域圧縮のステップにより帯域圧縮され２チャンネルに振り分けられたディジタルビデオ信号に対して上記２チャンネルのそれぞれにライン番号を含ませる第１のライン番号付加のステップと、
上記第１のライン番号付加のステップにより出力された上記２チャンネルのディジタルビデオ信号に対してそれぞれ圧縮符号化を行う圧縮符号化のステップと、
上記圧縮符号化のステップにより圧縮符号化された上記２チャンネルのディジタルビデオ信号をそれぞれ記録媒体に記録する記録のステップと、
上記記録媒体に上記記録された上記２チャンネルの上記ディジタルビデオ信号をそれぞれ再生する再生のステップと、
上記再生のステップにより再生された上記２チャンネルの再生ディジタルビデオ信号の圧縮符号をそれぞれ復号化する復号化のステップと、
上記復号化のステップによる出力に対して、上記再生ディジタルビデオ信号に基づき生成されたライン番号を含ませる第２のライン番号付加のステップと、
上記第２のライン番号付加のステップにより出力された上記２チャンネルのディジタルビデオ信号の帯域圧縮を伸長する帯域伸長のステップと
を有する
ことを特徴とする記録再生方法。
【発明の詳細な説明】
【０００１】
【発明の属する技術分野】
この発明は、ビデオ信号を帯域圧縮して処理する記録再生装置および方法に関し、特に、携帯用カメラ一体型ディジタルビデオテープレコーダに用いて好適な記録再生装置および方法に関する。
【０００２】
【従来の技術】
ビデオ信号をディジタル方式で処理するような信号処理装置、例えば高解像度の携帯用カメラ一体型ディジタルビデオテープレコーダに用いられる信号処理装置では、記録時間や記録密度が考慮され、入力された映像信号に対して画像圧縮符号化が施される。そして、この圧縮符号化されたビデオ信号が例えばビデオテープに対して記録される。
【０００３】
また、このビデオテープへの信号の記録の際に、エラー訂正のために積符号による符号化処理がなされることが多い。この積符号による符号化においては、１シンボル（例えば１バイト）単位でマトリクス状に配列されたデータに対して、その列方向に対して例えばリードソロモン符号によってそれぞれ符号化がなされ、外符号パリティが生成される。そして、データおよび外符号パリティに対して、行方向に対して符号化がなされ、内符号パリティが生成される。このように、列方向に対して外符号パリティが生成され、行方向に対して内符号パリティが生成されることによって、積符号によるエラー訂正符号化が行われる。このとき、データの時系列の順序は、例えば行方向に一致している。
【０００４】
一方、一般的に、携帯用カメラ一体型ディジタルビデオテープレコーダを実現させる際に問題となるのは、その消費電力およびハードウェア規模である。また、世界的にエネルギ節減が提唱されている現在では、据え置き型のものでも、消費電力の問題を無視することはできない。
【０００５】
【発明が解決しようとする課題】
ところで、ビデオカメラなどで撮像された映像信号は、例えばＲ（赤）Ｇ（緑）Ｂ（青）のそれぞれのサンプリング周波数の比を４：４：４とした４：４：４信号でＣＣＤ(Charge Cupled Device)から出力される。より高解像度の映像を提供するＨＤＶＳ(High Definition Video System)によるビデオ信号では、２２００×１１２５画素（有効画素では、１９２０×１０３５画素）／（３０フレーム毎秒）が実現されており、この場合のＲＧＢそれぞれのサンプリング周波数は、７４．２５ＭＨｚにも達する。この場合フィールド周波数は、６０Ｈｚとされる。
【０００６】
この信号は、ディジタルビデオテープレコーダ部に供給されると、輝度信号Ｙ，Ｒ−Ｙ色差信号Ｐｒ，およびＢ−Ｙ色差信号Ｐｂのそれぞれのサンプリング周波数の比を４：２：２とした４：２：２信号に変換される。この信号は、信号ＹおよびＰｒ，Ｐｂとが上述のサンプリング周波数（７４．２５ＭＨｚ）で以てパラレルで伝送されるものであり、ＢＴＡによるＳ−００２規格に基づく。この場合でも、輝度信号Ｙのレートは、依然として７４．２５ＭＨｚのままである。
【０００７】
周知のように、信号処理に要する消費電力は、取り扱う周波数が高いほど大きくなるため、処理に際して多くの電力が必要とされる問題点があった。また、データレートが高いことから、データ量も多く扱いにくいと共に、ハードウェア規模も大きくなってしまうという問題点があった。
【０００８】
一方、装置の外部でなされる信号の切断あるいは加工や装置内部での支障により、不連続なラインが生じる場合がある。従来では、装置においてラインの伝送順序を知る手段が無かったため、このような信号の不連続により、ブランキング部分の長さが変化してしまったり、画像の位置がずれてしまっても、これを補整する手段が無かったという問題点があった。
【０００９】
したがって、この発明の目的は、ビデオ信号に対して切断や可能などの処理を行ない、ラインが不連続になっても、その不連続点の補整を容易に行えるような記録再生装置および方法を提供することにある。
【００１０】
また、この発明の他の目的は、ハードウェア規模が小さく、消費電力がより低い記録再生装置および方法を提供することにある。
【００１３】
【課題を解決するための手段】
この発明は、上述した課題を解決するために、ディジタルビデオ信号を帯域圧縮しさらに圧縮符号化して記録媒体に記録し、記録されたディジタルビデオ信号を再生する記録再生装置において、ディジタルビデオ信号を３：１：１信号に帯域圧縮し、帯域圧縮された輝度信号のサンプルを２チャンネルのそれぞれに振り分けると共に、色差信号のサンプルを２チャンネルのそれぞれに対して振り分けて、２チャンネルを互いに同一のデータ配列に並び替えて出力する帯域圧縮手段と、帯域圧縮手段で帯域圧縮され２チャンネルに振り分けられたディジタルビデオ信号に対して２チャンネルのそれぞれにライン番号を含ませる第１のライン番号付加手段と、第１のライン番号付加手段から出力された２チャンネルのディジタルビデオ信号に対してそれぞれ圧縮符号化を行う圧縮符号化手段と、圧縮符号化手段で圧縮符号化された２チャンネルのディジタルビデオ信号をそれぞれ記録媒体に記録する記録手段と、記録媒体に記録された２チャンネルのディジタルビデオ信号をそれぞれ再生する再生手段と、再生手段で再生された２チャンネルの再生ディジタルビデオ信号の圧縮符号をそれぞれ復号化する復号化手段と、復号化手段の出力に対して、再生ディジタルビデオ信号に基づき生成されたライン番号を含ませる第２のライン番号付加手段と、第２のライン番号付加手段から出力された２チャンネルのディジタルビデオ信号の帯域圧縮を伸長する帯域伸長手段とを有することを特徴とする記録再生装置である。
【００１６】
また、この発明は、上述した課題を解決するために、ディジタルビデオ信号を帯域圧縮しさらに圧縮符号化して記録媒体に記録し、記録されたディジタルビデオ信号を再生する記録再生方法において、ディジタルビデオ信号を３：１：１信号に帯域圧縮し、帯域圧縮された輝度信号のサンプルを２チャンネルのそれぞれに振り分けると共に、色差信号のサンプルを２チャンネルのそれぞれに対して振り分けて、２チャンネルを互いに同一のデータ配列に並び替えて出力する帯域圧縮のステップと、帯域圧縮のステップにより帯域圧縮され２チャンネルに振り分けられたディジタルビデオ信号に対して２チャンネルのそれぞれにライン番号を含ませる第１のライン番号付加のステップと、第１のライン番号付加のステップにより出力された２チャンネルのディジタルビデオ信号に対してそれぞれ圧縮符号化を行う圧縮符号化のステップと、圧縮符号化のステップにより圧縮符号化された２チャンネルのディジタルビデオ信号をそれぞれ記録媒体に記録する記録のステップと、記録媒体に記録された２チャンネルのディジタルビデオ信号をそれぞれ再生する再生のステップと、再生のステップにより再生された２チャンネルの再生ディジタルビデオ信号の圧縮符号をそれぞれ復号化する復号化のステップと、復号化のステップによる出力に対して、再生ディジタルビデオ信号に基づき生成されたライン番号を含ませる第２のライン番号付加のステップと、第２のライン番号付加のステップにより出力された２チャンネルのディジタルビデオ信号の帯域圧縮を伸長する帯域伸長のステップとを有することを特徴とする記録再生方法である。
【００１７】
上述したように、この発明では、記録時には、圧縮符号化手段に供給されるディジタルビデオ信号に対して、また、再生時には、圧縮符号化を復号化する復号化手段から出力されるディジタルビデオ信号に対してライン番号が付加される。そのため、ライン番号に不連続が生じても容易に補整を行うことができる。
【００１８】
【発明の実施の形態】
以下、この発明の実施の一形態を、図面を参照しながら説明する。図１は、この発明において扱われるビデオ信号を概念的に示す。ここでは、上述したＨＤＶＳによる、１１２５本／６０Ｈｚのシステムでのビデオ信号を扱うものとして説明する。
【００１９】
例えばＣＣＤから出力されるビデオ信号は、図１Ａに示される、サンプリング周波数７４．２５ＭＨｚを有する、赤色信号Ｒ，緑色信号Ｇ，および青色信号Ｂがパラレルで伝送される４：４：４信号である。これらパラレル信号のそれぞれは、例えば８ビットのデータ幅を有する。Ｒn ，Ｇn ，Ｂn の信号の組で、１画素が構成される。この１画素分のデータが上述のサンプリング周波数７４．２５ＭＨｚでなるクロックで以て伝送される。次に、この４：４：４信号が４：２：２信号へと変換される（図１Ｂ）。この４：２：２信号は、さらにサンプリング周波数が５５．６８７５ＭＨｚ信号へと落とされ、３：１：１信号へと変換される（図１Ｃ）。
【００２０】
この３：１：１信号は、図１Ｄに示されるように、輝度信号Ｙおよび色差信号Ｐｒ，Ｐｂとがシリアルに並べられた２チャンネルの信号に変換される。以降、この２チャンネルの信号をそれぞれ信号Ｃｈ０および信号Ｃｈ１と称する。このとき、これら信号Ｃｈ０およびＣｈ１のサンプリング周波数は、４６．４０６２５ＭＨｚ（＝７４．２５ＭＨｚ×５／８）とされる。
【００２１】
したがって、当初７４．２５ＭＨｚのサンプリング周波数で供給された信号が４６．４０６２５ＭＨｚまで周波数を落とされると共に、輝度信号Ｙと色差信号Ｐｒ，Ｐｂとがそれぞれ同じサンプリング周波数とされる。これにより、信号処理を統一的なクロック周波数で以て行うことが可能とされる。
【００２２】
さらに、この発明では、上述の信号Ｃｈ０およびＣｈ１に対してライン番号ＬＮが挿入され、このライン番号ＬＮが信号処理を行う各構成部分の間で、データと共に伝送される。そして、信号処理の際に、このライン番号ＬＮが参照され、メモリのアドレス制御やデータ順の管理などがなされる。これにより、何らかの原因でライン順に不連続が生じても、ライン順の補整が可能とされる。
【００２３】
次に、この発明を、磁気テープに対してディジタルビデオ信号の記録再生を行う、ディジタルビデオテープレコーダに対して適用させた例について説明する。このディジタルビデオテープレコーダでなされる記録は、例えば回転ドラム上に設けられた磁気ヘッドによって磁気テープに対して斜めにトラックが形成される、ヘリカルスキャン方式で以て行われ、さらに、互いに異なる角度を有する１組の磁気ヘッドによって、隣接するトラックにおいてアジマスが異ならされ記録される、アジマス方式が用いられる。
【００２４】
この記録方式の一例を図２および図３に示す。図２に一例が示されるように、回転ドラム１上に４個の記録用の磁気ヘッド２Ａ，２Ｂ，２Ｃ，および２Ｄが設けられる。４個の磁気ヘッド２Ａ，２Ｂ，２Ｃ，および２Ｄは、２個ずつが１組とされ、互いに対向する位置に配される。１８０°対向する磁気ヘッド２Ａ，２Ｃの組、磁気ヘッド２Ｂ，２Ｄの組がそれぞれ同一アジマスとされ、且つ、これらの組同士では互いに異なるアジマスを有する。
【００２５】
回転ドラム１に対して、例えば１８０°の巻き付け角で以て磁気テープが巻き付けられる。回転ドラム１が１８０°回転する毎に対向する磁気ヘッドへの信号を切り換える。この切り換えのポイントをスイッチングポイントと称する。これにより、各ヘッドに対応するチャンネルをＡ，Ｂ，Ｃ，Ｄとした場合、これら４個の磁気ヘッド２Ａ，２Ｂ，２Ｃ，および２Ｄによって、図３に示されるように、磁気テープ４に対して、磁気ヘッド２Ａ，２ＢによってトラックＡ，Ｂが形成され、次に磁気ヘッド２Ｃ，２ＤによってトラックＣ，Ｄが形成される。
【００２６】
形成されたトラックのうち、ＡおよびＣ，ＢおよびＤがそれぞれアジマスが一致するトラックである。このとき、互いにアジマスの異なる、隣接した２トラック（ＡおよびＢチャンネル、並びにＣおよびＤチャンネル）を１組としてセグメントが構成される。また、ビデオ信号の１フレームは、１２トラックから構成される。したがって、ビデオ信号の１フレームは、６セグメントからなる。これら６個のセグメントのそれぞれには、０〜５までのセグメント番号が付される。なお、４チャンネルあるオーディオデータは、例えば、トラックに対して中央部に、ビデオデータに挟まれるように配される。
【００２７】
なお、回転ドラム１には、再生用の磁気ヘッド３Ａ，３Ｂ，３Ｃ，および３Ｄがさらに設けられる。これら磁気ヘッド３Ａ，３Ｂ，３Ｃ，および３Ｄの配置ならびにアジマスの関係は、上述の記録用の磁気ヘッド２Ａ，２Ｂ，２Ｃ，および２Ｄと同様である。磁気テープからの再生の際には、これら磁気ヘッド３Ａ，３Ｂ，３Ｃ，および３Ｄが用いられる。
【００２８】
図４および図５は、このディジタルビデオテープレコーダの構成の一例を示す。図４は、記録側の構成の一例を示し、図５は、再生側の構成の一例を示す。これら図４および図５に示される構成は、別個に図示されているが、一部の構成を共用することは可能である。また、ここでは、上述したＨＤＶＳによるビデオ信号が扱われるものとする。
【００２９】
図４に示される記録側の構成において、入力端１０は、ＢＴＡのＳ−００４規格に基づく１．４８５Ｇｂｐｓ(bit per second)  のレートを有するシリアルディジタルＡ／Ｖ信号が入力される。図６は、このシリアルディジタルＡ／Ｖ信号の伝送フォーマットを示す。垂直方向の数字は、ライン番号を示し、水平方向の数字は、サンプル番号を示す。ライン番号の順番に従い、各ライン毎に、映像サンプル番号順にシリアルにデータが伝送される。水平方向に２２００サンプル分、垂直方向に１１２５ライン分で１フレーム分の画像および音声が伝送される。
【００３０】
水平方向では、第０サンプル〜第１９１９サンプルの１９２０サンプル分が有効映像領域とされ、垂直ブランキング期間以外のラインにおいて、ビデオ信号が伝送される。この有効映像領域の先頭を示すＳＡＶが第２１９６サンプル〜第２１９９サンプルに挿入される。また、有効映像領域の最後尾を示すＥＡＶが第１９２０サンプル〜第１９２３サンプルに挿入される。オーディオ信号は、第１９２８サンプル〜第２１９５サンプルの２６８サンプル分で伝送される。第１９２４サンプル，第１９２５サンプルは、ライン番号ＬＮが挿入される。このラインのＣＲＣＣ(Cyclic Redundancy Check Codes) の検査ビットが第１９２６サンプル，第１９２７サンプルに挿入される。
【００３１】
垂直方向では、第１ライン〜第４０ライン，第５５８ライン〜第６０２ライン，および第１１２１ライン〜第１１２５ラインが垂直ブランキング期間とされる。１フィールド分のビデオ信号は、第４１ライン〜第５５７ラインおよび第６０３ライン〜第１１２０ラインのそれぞれの、上述の第０サンプル〜第１９１９サンプルで伝送される。
【００３２】
なお、オーディオ信号は、この図に示されるように、スイッチングポイントの次のラインを避けて伝送される。
【００３３】
なお、この記録側の構成は、タイミングジェネレータ３０を有しており、１１２５本／６０Ｈｚ，１１２５本／５９．９４Ｈｚ，あるいは５２５本／５９．９４Ｈｚなどの、適用されるシステムに応じたシステムクロックが供給される。そして、このシステムクロックに基づき、この図４に示される記録側の構成に必要なクロックが生成される。すなわち、水平同期信号Ｈｓｙｎｃおよびフレーム同期信号Ｆｓｙｎｃなどが生成される。さらに、この例では、７４．２５ＭＨｚおよび４６．４（４６．４０６２５）ＭＨｚに対応するクロックがそれぞれ生成される。
【００３４】
Ｓ／Ｐ変換器１１に供給されたシリアル信号は、７４．２５ＭＨｚレートのパラレル信号に変換され出力される。このパラレル信号は、供給されたシリアル信号が輝度信号Ｙ，および色差信号Ｐｒ，Ｐｂとからなり、例えばそれぞれ８ビットのデータ幅を有する４：２：２信号に変換されたものである。この変換された４：２：２信号がコプロセッサ１２に供給される。このコプロセッサ１２は、例えば１個のＡＳＩＣ(Application Specific Integrated Circuit) から構成される。
【００３５】
コプロセッサ１２では、供給されたパラレル信号に対する処理が行われる。この処理により、供給された４：２：２信号に含まれるディジタルオーディオ信号，ライン番号ＬＮ，ＣＲＣＣ検出符号，およびＳＡＶ，ＥＡＶが分離され取り出される。これらのうち、ディジタルオーディオ信号は、オーディオ信号処理回路１６に供給される。一方、他のデータ、すなわちライン番号ＬＮ，ＣＲＣＣ検出符号，およびＳＡＶ，ＥＡＶは、それぞれ４：２：２信号に対して１水平周期毎に付加される。
【００３６】
図７Ａは、コプロセッサ１２でライン番号などのデータを付加された４：２：２信号を概念的に示す。輝度信号Ｙは、周波数が７４．２５ＭＨｚのクロックに従い順次伝送される。一方、色差信号ＰｒおよびＰｂは、帯域圧縮されているためデータ量が半分とされ伝送される。例えば、輝度信号Ｙ0 ，Ｙ1 には色差信号Ｐｂ0 ，Ｐｒ0 がそれぞれ対応し、輝度信号Ｙ2 ，Ｙ3 には色差信号Ｐｂ1 ，Ｐｒ1 がそれぞれ対応する。
【００３７】
タイミングジェネレータ３０から供給されたＨｓｙｎｃに基づき、供給された４：２：２信号において有効映像領域を示す１９２０クロックの先頭および最後尾とに対して、ＳＡＶおよびＥＡＶがそれぞれ４クロック分設けられる。ＥＡＶの後に、ライン番号ＬＮに基づき生成されたライン番号ＬＮ0 ，ＬＮ1 が挿入される。さらに、これらライン番号ＬＮ0 ，ＬＮ1 の後ろに、ＣＲＣＣ検出符号ＣＲ0 ，ＣＲ1 が挿入される。
【００３８】
ＨＤＶＳにおいて、垂直方向の有効ライン数は、１１２５本とされているため、ライン番号ＬＮは、１１ビットで表現可能である。図８は、このライン番号ＬＮを２バイトで表したライン番号ＬＮ0 ，ＬＮ1 におけるビット割り付けの一例を示す。この例では、ＬＮ0 の全ビット（Ｌ7 〜Ｌ0 ）およびＬＮ1 のＬＳＢから３ビット（Ｌ10〜Ｌ8 ）の１１ビットでライン番号が表され、ＬＮ1 のＭＳＢで、このラインが第１および第２フィールドのどちらであるかが表される。ＬＮ1 のＬ6 〜Ｌ3 は、使用されていない。
【００３９】
こうして、コプロセッサ１２でオーディオ信号を分離され、ライン番号などのデータの付加がなされた４：２：２信号がインプットフィルタ１３に供給される。なお、このインプットフィルタ１３に対しては、入力端子１５から直接的に４：２：２信号を供給することもできる。この場合には、ディジタルオーディオ信号は、入力端子１７を介してオーディオ信号処理回路１６に対して供給される。
【００４０】
インプットフィルタ１３は、供給された信号に対して帯域圧縮を施すもので、例えば１つのＡＳＩＣからなる。また、このインプットフィルタ１３には、メモリ１４が接続され、タイミングジェネレータ３０から７４．２５ＭＨｚおよび４６．４０６２５ＭＨｚのクロックがそれぞれ供給される。
【００４１】
インプットフィルタ１３に供給された４：２：２信号からライン番号ＬＮ0 ，ＬＮ1 が抽出される。インプットフィルタ１３において４：２：２信号から３：１：１信号に帯域圧縮される。すなわち、上述の図１Ｂと図１Ｃに示されるように、４：２：２信号において８サンプル分の輝度信号Ｙが３：１：１信号においては６サンプル分に帯域圧縮される。これに対応し、それぞれ２サンプル分の色差信号ＰｒおよびＰｂとがそれぞれ１サンプル分に帯域圧縮される。
【００４２】
帯域圧縮されたこの信号は、上述した信号Ｃｈ０およびＣｈ１に分けられ並び換えられ、４６．４０６２５ＭＨｚレートとされる。すなわち、この並び換えは、上述した図１Ｃおよび図１Ｄに示されるように、輝度信号Ｙ0 ，Ｙ1 ，Ｙ2 ・・・の６サンプル単位で行われ、輝度信号の偶数サンプルＹ0 ，Ｙ2 ，Ｙ4 ・・・と奇数サンプルＹ1 ，Ｙ3 ，Ｙ5 ・・・とを２チャンネルのそれぞれに振り分ける。同様に、色差信号ＰｒおよびＰｂとを、偶数サンプルＰｒ0 ，Ｐｒ2 ・・・およびＰｂ0 ，Ｐｂ2 ・・・と、奇数サンプルＰｒ1 ，Ｐｒ3 ・・・およびＰｂ1 ，Ｐｂ3 とに振り分ける。そして、輝度信号Ｙおよび色差信号Ｐｒ／Ｐｂとを、偶数サンプル同士、奇数サンプル同士でそれぞれシリアルに並べる。信号Ｃｈ０には偶数サンプルが、信号Ｃｈ１には奇数サンプルが並べられる。
【００４３】
さらに、インプットフィルタ１３で、信号Ｃｈ０およびＣｈ１のそれぞれに対して、ライン毎に、ライン番号ＬＮ0 ，ＬＮ1 が挿入される。さらに、このインプットフィルタ１３において、信号Ｃｈ０およびＣｈ１のそれぞれについてＣＲＣＣの演算がなされ、その結果得られたＣＲＣＣ検出符号が信号Ｃｈ０およびＣｈ１に対してそれぞれ付される。インプットフィルタ１３における以上の処理は、例えばメモリ１４の所定の領域を用いてなされる。
【００４４】
このように、パラレルで入力された４：２：２信号を、チャンネルＣｈ０およびＣｈ１毎に輝度信号Ｙと色差信号Ｐｒ／Ｐｂとがシリアルに並べられた信号Ｃｈ０およびＣｈ１に変換することで、当初７４．２５ＭＨｚであったクロック周波数を５／８の４６．４０６２５ＭＨｚにまで落とすことができる。また、輝度信号Ｙと色差信号Ｐｒ／Ｐｂとに対して、同じクロック周波数で処理を行うことができる。
【００４５】
図７Ｂは、チャンネルＣｈ０とＣｈ１とに振り分けられ、ＣＲＣＣの検出符号ＣＲＣＣと、ライン番号ＬＮ0 ，ＬＮ1 とがチャンネルＣｈ０およびＣｈ１とにそれぞれ挿入された信号Ｃｈ０およびＣｈ１の信号フォーマットの一例を示す。上述したように、この信号は、クロック周波数が４６．４ＭＨｚとされており、１水平周期は、１３７５クロックからなる。このうち、有効画素分は、１２００クロック分である。ここでは、信号Ｃｈ０について説明する。
【００４６】
信号Ｃｈ０に対応した水平同期信号であるＨｓｙｎｃ０が立ち上がることにより１水平周期の開始が示され、２クロック分にわたりライン番号ＬＮ0 ，ＬＮ1 が挿入される。続けて帯域圧縮された輝度信号Ｙおよび色差信号Ｐｒ／Ｐｂとがシリアルに挿入される。１ライン分の輝度信号Ｙおよび色差信号Ｐｒ／Ｐｂの後ろには、ＣＲＣＣの検出符号が１クロック分挿入される。そして、１水平周期の先頭のＨｓｙｎｃから１３７５クロック目に、次のＨｓｙｎｃが１クロック分供給される。
【００４７】
なお、上述ではライン番号ＬＮ0 ，ＬＮ1 とが有効映像領域の先頭に挿入されるように説明したが、これはこの例に限られない。例えば、ライン番号ＬＮ0 ，ＬＮ1 とを、有効映像領域の最後尾に挿入するようにしてもよい。
【００４８】
ところで、水平同期信号Ｈｓｙｎｃは、信号Ｃｈ０およびＣｈ１のそれぞれに対して設けられる。これらをそれぞれＨｓｙｎｃ０およびＨｓｙｎｃ１と称する。これは、インプットフィルタ１３以降の処理が信号Ｃｈ０およびＣｈ１とで例えば別々のＡＳＩＣで行われることに対応している。
【００４９】
なお、図４においては省略されているが、インプットフィルタ１３では、信号Ｃｈ０およびＣｈ１のそれぞれに対して、フレーム単位の同期信号であるＦｓｙｎｃ０，Ｆｓｙｎｃ１も同時に出力される。但し、信号Ｃｈ０およびＣｈ１にそれぞれ付されたライン番号ＬＮによって、フレームの変化点を容易に知ることができるため、これらＦｓｙｎｃ０，Ｆｓｙｎｃ１は、省略することができる。
【００５０】
インプットフィルタ１３から、信号Ｃｈ０およびＨｓｙｎｃ０，信号Ｃｈ１およびＨｓｙｎｃ１とがそれぞれ出力される。これらの信号は、それぞれＢＲＲ(Bit Rate Reduction)エンコーダ１８および１９に供給される。ＢＲＲエンコーダ１８および１９は、それぞれメモリ２０および２１が接続され、供給された信号に対して例えばＤＣＴ(Discrete Cosine Transform) による符号化を施し量子化することで、所定の圧縮率で以て信号の圧縮符号化を行う。この例では、画像圧縮率が１／４．４とされる。
【００５１】
ＢＲＲエンコーダ１８では、供給された信号Ｃｈ０からライン番号ＬＮ0 ，ＬＮ1 とが取り出される。信号Ｃｈ０は、圧縮符号化の際にこのエンコーダ１８で、例えば８×８画素からなるＤＣＴブロックの単位でシャフリングされる。シャフリングされたＤＣＴブロックのそれぞれは、メモリ２０の所定のアドレスに書き込まれる。このライン番号ＬＮによるアドレス制御によって、メモリ２０に対する書き込み制御がなされるため、例えば垂直ブランキング期間中にラインに不連続が生じていても、有効映像領域の位置の補整を行うことができる。
【００５２】
信号Ｃｈ０およびＣｈ１は、輝度信号Ｙおよび色差信号Ｐｒ／Ｐｂとが互いに同一の伝送周波数（４６．４０６２５ＭＨｚ）とされている。そのため、これらＢＲＲエンコーダ１８および１９は同一の構造のものを用いることができ、処理クロック周波数もそれぞれ等しくすることができる。勿論、ＡＳＩＣのゲート数などに制限がなければ、これらエンコーダ１８および１９を一つのＡＳＩＣで構成することも可能である。
【００５３】
ＢＲＲエンコーダ１８および１９でそれぞれ圧縮符号化処理がなされた信号Ｃｈ０およびＣｈ１は、それぞれに対応する水平同期信号Ｈｓｙｎｃと共に、ＥＣＣ(Error Corrected Coding)エンコーダ２２に供給される。それと共に、オーディオ信号処理回路１６から所定の処理を施され出力されたディジタルオーディオ信号も、このＥＣＣエンコーダ２２に供給される。
【００５４】
図９は、ＢＲＲエンコーダ１８および１９とＥＣＣエンコーダ２２との間のインターフェイスに用いられる信号のフォーマットを概略的に示す。信号の１クロックの周波数は、４６．４０６２５ＭＨｚが用いられる。図９Ｃに示されるように、ＢＲＲエンコーダ１８および１９からは、それぞれデータ幅が８ビットで信号の出力がなされる。信号は、共に１バイトのＩＤ０およびＩＤ１とが付加された２１９クロック分を１シンクブロックとして、このシンクブロック単位で、これらＢＲＲエンコーダ１８および１９から出力される。ＩＤ０およびＩＤ１は、例えばシンクブロックを特定するためのシンクブロック番号からなる。
【００５５】
また、ＢＲＲエンコーダ１８および１９から、このシンクブロックの出力と共に同期信号ＳＹＮＣが出力される。図９Ｃの下部に示されるように、１クロック分のシンクパルスに続けてシンクブロックが出力される。
【００５６】
上述したように、磁気テープ４上では、１フレームが１２トラックからなり、互いにアジマスの異なる、隣接した２トラックでセグメントが構成される。各セグメントは、図９Ａおよび図９Ｂに示されるように、それぞれ２２６シンクブロックからなる信号Ｃｈ０およびＣｈ１とで構成される。各セグメント間には、所定の長さのギャップが設けられる。各シンクブロックは、１００８クロック毎の先頭にそれぞれ配置され、残りの部分はブランクとされる。
【００５７】
このように、ＢＲＲエンコーダ１８および１９からは、それぞれ断続的に、すなわち、１００８クロックのうち２１９クロックだけ、信号が出力される。したがって、信号が出力されない残りの７８９クロックでは、エンコーダ１８および１９での電力消費を抑えることができる。
【００５８】
ＥＣＣエンコーダ２２では、接続されたメモリ２３を用いて、供給された信号に対して例えば積符号によるエラー訂正符号化処理を施す。つまり、上述の従来技術において説明したように、メモリ２３に書き込まれたデータ、すなわち信号Ｃｈ０に対して外符号パリティおよび内符号パリティが生成され、積符号のエラー訂正符号化がなされる。この、内符号および外符号の積符号が完結するデータの大きさを、エラー訂正ブロックと称する。
【００５９】
なお、メモリ２３は、例えば２つの領域に分割され、それぞれの領域で内符号および外符号の処理がそれぞれなされる。また、領域を分割せずに、データのアクセス方法などを工夫することによって内符号および外符号の処理を行うようにもできる。メモリ２３を、内符号および外符号の処理をそれぞれ行う２つのメモリで構成するようにしてもよい。
【００６０】
図１０および図１１は、このエラー訂正ブロックの構成の一例を概略的に示す。既に図２および３で示したように、この例に示されるディジタルビデオテープレコーダでは、磁気テープ４に対して、ヘリカルトラックで以て信号の記録がなされる。ＥＣＣエンコーダ２２におけるエラー訂正符号化処理は、このヘリカルトラックを単位としてなされる。
【００６１】
図１０に示されるビデオデータの例においては、図１０Ａの如くこの１２フレーム中の１トラックが図１０Ｂに示される１エラー訂正ブロックとされる。ＥＣＣエンコーダ２２に対して、図９Ｂに示される２２６シンクブロックが全て到来すると、図１０Ｂに示される２１７バイト×２２６バイトのデータ配列が形成される。このデータに対して、矢印ｂの方向に、各列のデータが例えば（２５０，２２６）リードソロモン符号によって符号化され、２４バイトの外符号パリティが生成される。さらに、これらビデオデータおよび外符号パリティに対して、矢印ａの方向に、各行のデータが例えば（２２９，２１９）リードソロモン符号によって符号化され、１２バイトの内符号パリティが生成される。このとき、各々のデータ行の先頭には、それぞれ２バイトの大きさを有するシンクデータおよびＩＤが配され、これも含めて内符号の演算がなされる。
【００６２】
図１１は、オーディオデータにおけるエラー訂正ブロックの構成の一例を示す。図１１Ａに示されるように、オーディオデータは、１フレーム分の１２トラックのうち６トラックで図１１Ｂに示される１エラー訂正ブロックを形成する。例えば２１７バイト×１２バイトのデータ配列から成るオーディオデータに対して、矢印ｂの方向に、例えば（２４，１２）リードソロモン符号によって符号化され、１２バイトの外符号パリティが生成される。さらに、これらビデオデータおよび外符号パリティに対して、矢印ａの方向に、例えば（２２９，２１９）リードソロモン符号によって符号化され、１２バイトの内符号パリティが生成される。また、そのとき、それぞれのデータ行の先頭には、シンクデータおよびＩＤが配され、これも含めて内符号の演算がなされる。
【００６３】
図１２は、これらエラー訂正ブロックにおける１シンクブロックの構成を、ビデオデータを例にとって概略的に示す。先頭の２バイトはシンクデータである。続く２バイトはＩＤであって、この１シンクブロックの１トラック内での番号（シンクブロック番号）などが記される。このＩＤは、図９Ｃに示されるシンクブロックの先頭に配置されるＩＤ０およびＩＤ１とに基づき生成される。このＩＤに２１７バイトのビデオデータ（または外符号パリティ）および内符号パリティが続く。磁気テープ４に対する記録データは、このシンクブロックが連続したものである。
【００６４】
ＥＣＣエンコーダ２２でエラー訂正符号化された信号は、エラー訂正ブロック単位で、磁気テープ４上での記録レート周波数に置き換えられ、チャンネルＡ，Ｂ，Ｃ，およびＤの４チャンネルの信号に振り分けられて、チャンネルＡ／ＣおよびチャンネルＢ／Ｄの２系統の信号として出力される。
【００６５】
すなわち、図９Ｂに示されるように、ＢＲＲエンコーダ１８から供給された信号Ｃｈ０の、例えば最初の２２６シンクブロックからなるエラー訂正ブロックがチャンネルＡとされ、続く２２６シンクブロックからなるエラー訂正ブロックがチャンネルＣとされ、ＥＣＣエンコーダ２２からは、これらチャンネルＡおよびＣとが交互に出力される。同様に、ＢＲＲエンコーダ１９から供給された信号Ｃｈ１については、チャンネルＢおよびＤとにそれぞれ対応するエラー訂正ブロックが生成され、ＥＣＣエンコーダ２２からは、これらチャンネルＢおよびＤとが交互に出力される。
【００６６】
これらの、ＥＣＣエンコーダ２２から出力された、チャンネルＡ／ＣおよびチャンネルＢ／Ｄの２系統の信号は、それぞれ記録駆動回路２４に供給される。そして、磁気テープ４に対して記録可能なように変調および増幅され、出力される。出力された信号は、チャンネルＡ／Ｃが磁気ヘッド２Ａまたは２Ｃに、チャンネル２Ｂまたは２Ｄが磁気ヘッド２Ｂまたは２Ｄにそれぞれ供給され、磁気テープ４に対して記録される。
【００６７】
なお、図４では煩雑さを避けるために、記録のための磁気ヘッド２Ａ，２Ｂ，２Ｃ，および２Ｄが磁気ヘッド２Ａ  ｏｒ  ２Ｃ，２Ｂ  ｏｒ  ２Ｄの２個に、また、これら４個の磁気ヘッドのそれぞれに対する信号経路が２系統に、それぞれ省略されている。また、記録駆動回路２４は、回転ドラム１の回転に対応した切り換えスイッチを有し、回転ドラム１の１８０°の回転に対して、チャンネルＡとＣ、チャンネルＢとＤを、それぞれ切り換えて出力することができる。
【００６８】
次に、図５を参照しながら、再生側の処理について説明する。磁気テープ４に記録された信号が読み取り用の磁気ヘッド３Ａ，３Ｂ，３Ｃ，および３Ｄによって再生される。上述したように、磁気ヘッド３Ａ，３Ｂ，３Ｃ，および３Ｄによって、トラックＡ，Ｂ，Ｃ，およびＤがそれぞれ再生される。磁気ヘッド３Ａおよび３Ｃから再生された再生信号（信号Ａ／Ｃ）は、イコライザ４０に供給される。同様に、磁気ヘッド３Ｂおよび３Ｄから再生された再生信号（信号Ｂ／Ｄ）は、イコライザ４７に供給される。以下、イコライザ４０に供給された信号Ａ／Ｃを中心に説明する。
【００６９】
なお、図５では煩雑さを避けるために、磁気ヘッド３Ａ，３Ｂ，３Ｃ，および３Ｄが磁気ヘッド３Ａ  ｏｒ３Ｃ，３Ｂｏｒ３Ｄの２個に、また、これら４個の磁気ヘッドのそれぞれに対する信号経路が２系統に、それぞれ省略されている。また、イコライザ４０および４７は、それぞれ回転ドラム１の１８０°の回転に対応した切り換えスイッチを有する。これにより、イコライザ４０では、磁気ヘッド３Ａおよび３Ｃからの再生信号が交互に処理される。同様に、イコライザ４７では、磁気ヘッド３Ｂおよび３Ｄからの再生信号が交互に処理される。
【００７０】
なお、この図５の構成では、上述の図４に示されたタイミングジェネレータ３０が共通して用いられる。
【００７１】
イコライザ４０から、信号Ａ／Ｃと、回転ヘッド１の回転に伴い生成された再生クロックとがそれぞれ出力される。これらの信号は、ＥＣＣデコーダ４１に供給される。このＥＣＣデコーダ４１には、タイミングジェネレータ３０から４６．４０６２５ＭＨｚのクロックが供給され、メモリ４２が接続される。ＥＣＣデコーダ４１では、メモリ４２を用いて、供給されたチャンネル信号Ａ／Ｃのエラー訂正復号化を行う。
【００７２】
すなわち、トラック毎に再生され、エラー訂正ブロック単位で供給された信号Ａ／Ｃが内符号および外符号によってエラー訂正復号化される。エラー訂正復号化された信号Ａ／Ｃは、４６．４０６２５ＭＨｚのクロックに乗せられ、シンクブロック単位で出力され、次段のＢＲＲデコーダ４３に供給される。すなわち、このＥＣＣデコーダ４１とＢＲＲデコーダ４３との間では、上述の図９に示されるフォーマットで以て信号Ａ／Ｃの伝送がなされる。
【００７３】
また、このＥＣＣデコーダ４１では、フレーム同期信号Ｆｓｙｎｃ０が生成されると共に、同期信号ＳＹＮＣが生成される。これら同期信号Ｆｓｙｎｃ０および同期信号ＳＹＮＣは、それぞれＢＲＲデコーダ４３に供給される。
【００７４】
ＢＲＲデコーダ４３には、タイミングジェネレータ３０から４６．４０６２５ＭＨｚのクロックが供給される。ＢＲＲデコーダ４３では、例えばシンクブロックの先頭に付されたＩＤ０およびＩＤ１とに基づきフレームの先頭を知ることができる。ＢＲＲデコーダ４３では、供給された信号Ａ／Ｃに対して、例えばメモリ４４を用いて逆ＤＣＴ変換ならびにデシャフリングを行い、圧縮符号の復号化を行う。
【００７５】
復号化された信号Ａ／Ｃは、４６．４０６２５ＭＨｚのクロックに基づき、上述の図７Ｂに示されるような輝度信号Ｙおよび色差信号Ｐｒ／Ｐｂがシリアルに配列された信号とされる。さらに、各ラインに対して、ライン番号ＬＮ0 ，ＬＮ1 が付される。このライン番号は、復号されたＩＤによって各ＤＣＴブロックのデータがメモリ４４中の所定位置に書き込まれ、このメモリ４４からの読み出し時に読み出し順に応じて付加されてゆく。すなわち、ＢＲＲデコーダ４３からの信号Ａ／Ｃに対応する出力は、上述の記録側の構成における信号Ｃｈ０と同等の信号である。以降、信号Ａ／Ｃに対応するこの信号を、便宜上、信号Ｃｈ０と称する。この信号Ｃｈ０は、映像信号の補整を行うコンシール回路４５に供給される。
【００７６】
また、ＢＲＲデコーダ４３では、同期信号Ｈｓｙｎｃ０も生成される。このＨｓｙｎｃ０も、コンシール回路４５に供給される。
【００７７】
イコライザ４７から出力された信号Ｂ／Ｄに対しても、上述と同様の処理がなされる。すなわち、イコライザ４７からＥＣＣデコーダ４８に対して供給された信号Ｂ／Ｄがメモリ４９を利用してエラー訂正復号化される。復号化された信号Ｂ／Ｄと共に、同期信号Ｆｓｙｎｃ，ＳＹＮＣがＥＣＣデコーダ４８からの出力され、ＢＲＲデコーダ５０に供給される。ＢＲＲデコーダ５０で、供給された信号Ｂ／Ｄの圧縮符号の復号化がメモリ５１を利用してなされる。復号化された信号Ｂ／Ｄは、４６．４０６２５ＭＨｚのクロックに基づき、輝度信号Ｙおよび色差信号Ｐｒ／Ｐｂとがシリアルに配列されると共に、ライン番号ＬＮ0 ，ＬＮ1 を付加され、上述の信号Ｃｈ１と同等の信号とされる。以降、この信号Ｂ／Ｄに対応する信号を、便宜上、信号Ｃｈ１と称する。この信号Ｃｈ１は、コンシール回路４５に供給される。また、デコーダ５０で生成された同期信号Ｈｓｙｎｃ１もコンシール回路４５に供給される。
【００７８】
なお、ＥＣＣデコーダ４１および４８、ＢＲＲデコーダ４３および５０には、それぞれ同一の規格のＡＳＩＣを用いることができる。
【００７９】
コンシール回路４５は、例えば１個のＡＳＩＣによって構成され、再生信号においてＥＣＣデコーダ４１あるいは４８のエラー訂正能力を超えたエラー、例えば磁気テープ４上の傷による長大なエラーが存在し、これらデコーダ４１あるいは４８でエラー訂正しきれなかった信号の補整を行う。この補整は、例えばエラー訂正がなされずに欠損した部分を、所定の方法で補間することでなされる。
【００８０】
補整された信号Ｃｈ０およびＣｈ１は、それぞれポストフィルタ５３に供給される。また、チャンネルＡ／ＣおよびチャンネルＢ／Ｄとでそれぞれ別個に供給された同期信号Ｈｓｙｎｃ０および１は、１本化され同期信号Ｈｓｙｎｃとされポストフィルタ５３に供給される。
【００８１】
ポストフィルタ５３は、例えば１個のＡＳＩＣで構成される。このポストフィルタ５３で、ＢＲＲデコーダ４３や５０、あるいは記録側のＢＲＲエンコーダ１８や１９で、画像圧縮／伸長の際に生じた不規則性のノイズが低減される。この処理は、供給された４６．４０６２５ＭＨｚのクロックに基づき、接続されたメモリ５４を用いてなされる。ポストフィルタ５３から出力された信号Ｃｈ０およびＣｈ１、ならびに同期信号Ｈｓｙｎｃは、アウトプットフィルタ５５に供給される。
【００８２】
アウトプットフィルタ５５は、例えば１個のＡＳＩＣで構成され、タイミングジェネレータ３０から４６．４０６２５ＭＨｚのクロックと７４．２５ＭＨｚのクロックとが共に供給される。アウトプットフィルタ５５では、これらの供給されたクロックに基づき、メモリ５６を用い、供給された信号Ｃｈ０およびＣｈ１が４：２：２信号に変換される。
【００８３】
すなわち、４６．４０６２５ＭＨｚのクロックで供給された信号Ｃｈ０およびＣｈ１が７４．２５ＭＨｚで再サンプリングされる。再サンプリングされた信号は、例えばメモリ５６に一旦書き込まれる。そして、輝度信号Ｙ，色差信号Ｐｒ，および色差信号Ｐｂのサンプリング周波数の比が４：２：２となるように補間される。こうして得られた４：２：２信号は、ビデオプロセッサ５７に供給される。なお、このアウトプットフィルタ５５とビデオプロセッサ５７との間のインターフェイスでは、上述の図７Ａに示される信号フォーマットが用いられる。
【００８４】
ビデオプロセッサ５７では、供給された４：２：２信号に対して、メモリ５８を利用して、ゲインやオフセットの調整といった所定の処理がなされる。処理された４：２：２信号は、出力端５９に導出される。
【００８５】
なお、オーディオ信号は、ＥＣＣデコーダ４１および４８でエラー訂正復号化された後、オーディオプロセッサ５２に供給される。オーディオプロセッサ５２で所定の処理を施されたオーディオ信号は、ディジタルオーディオ出力端６３に導出される。
【００８６】
ところで、ビデオプロセッサ５７から出力された４：２：２信号を、シリアルディジタルＡ／Ｖ信号として出力することができる。４：２：２信号は、ビデオプロセッサ５７から、コプロセッサ６０に供給される。それと共に、ディジタルオーディオ信号がオーディオプロセッサ５２からコプロセッサ６０に供給される。このコプロセッサ６０は、７４．２５ＭＨｚのクロックに基づき、ディジタルオーディオ信号が４：２：２信号中に挿入されると共に、フォーマットで定められた所定の補助データが付加される。コプロセッサ６０の出力は、Ｐ／Ｓ変換器６１に供給される。
【００８７】
Ｐ／Ｓ変換器６１は、パラレルディジタル信号として供給された４：２：２信号を１．４８５ＧｂｐｓのレートのシリアルディジタルＡ／Ｖ信号に変換する。このＰ／Ｓ変換器６１で、上述の図６に示されるフォーマットに従ってシリアルに変換された４：２：２信号は、シリアルディジタルＡ／Ｖ出力端６２に導出される。
【００８８】
このように、再生側の構成では、ＢＲＲデコーダ４３，５０からアウトプットフィルタ５５までのそれぞれＡＳＩＣ間でのインターフェイス信号が全て同形式（上述の図７Ｂ）および同一クロック（４６．４０６２５ＭＨｚ）のフォーマットで以て処理がなされる。また、ＢＲＲデコーダ４３および５０，コンシール回路４５，ポストフィルタ５４，およびアウトプットフィルタ５５は、それぞれ４６．４０６２５ＭＨｚのレートで動作される。
【００８９】
さらに、ＢＲＲデコーダ４３および５０からの出力には、ライン番号ＬＮ0 ，ＬＮ1 が付加される。このライン番号ＬＮ0 ，ＬＮ1 とが付加された信号が後段に伝送される。そのため、例えば後段のどこかでハードウェアのトラブルによってライン番号の連続性が失われても、その検出ならびに異常の発見が容易である。
【００９０】
なお、上述では、１１２５本／６０Ｈｚのシステムにこの発明を適用させた場合について説明したが、これはこの例に限定されるものではない。例えば、この発明は、フィールド周波数が５９．９４ＨｚであるＮＴＳＣのシステムに適用させることも容易である。この場合には、各インターフェイスならびにクロック周波数を、それぞれ１．００１（＝６０／５９．９４）で除した値とすればよい。
【００９１】
また、この発明に基づく信号処理方法は、上述の記録再生装置に適用されるに止まらず、ディジタルビデオ信号に対して所定の処理、例えばエフェクトを施すような装置に対しても適用可能なものである。
【００９２】
【発明の効果】
以上説明したように、この発明によれば、伝送される信号に対してライン番号が付加されるため、例えば入力信号に不連続が生じ、ブランキング期間の長さが変化していたり、画像の位置がずれるような場合でも、容易に補正することができる効果がある。同様に、装置内部の動作異常で、ＡＳＩＣ間での信号の伝送に不連続が生じても、それを検出できるという効果がある。
【００９３】
また、この発明によれば、各ＡＳＩＣ間の信号インターフェイスに用いられる周波数が４６．４０６２５ＭＨｚに統一されているため、装置全体をシンプルに構成することができる効果がある。
【００９４】
さらに、この発明によれば、ビデオ信号が３：１：１に帯域圧縮され、各ＡＳＩＣ間の信号インターフェイスに用いられる周波数が４６．４０６２５ＭＨｚと、従来の４：２：２で伝送される場合よりも低いため、装置の消費電力を抑えることができる効果がある。
【００９５】
さらにまた、同一形式の２系統の信号で処理がなされるため、圧縮部のＡＳＩＣを共通化でき、コスト的に有利であるという効果がある。さらにまた、圧縮部のＡＳＩＣの規模を小さくでき、装置全体の大きさを制限できる効果がある。
【００９６】
さらに、各ＡＳＩＣ間の信号インターフェイスに用いられる周波数が４６．４０６２５ＭＨｚに統一されているため、各ＡＳＩＣ間での信号の経路を柔軟に選択することができ、装置の信頼性のチェックやデバッグなどにも有用であるという効果がある。
【図面の簡単な説明】
【図１】この発明において扱われるビデオ信号を示す概念図である。
【図２】磁気テープに対する記録方式の一例を示す略線図である。
【図３】磁気テープに対する記録方式の一例を示す略線図である。
【図４】ディジタルビデオテープレコーダの記録側の構成の一例を示すブロック図である。
【図５】ディジタルビデオテープレコーダの再生側の構成の一例を示すブロック図である。
【図６】シリアルディジタルＡ／Ｖ信号の伝送フォーマットを示す概念図である。
【図７】各ＡＳＩＣ間のインターフェイスで用いられる信号フォーマットを示す概念図である。
【図８】ライン番号ＬＮ0 ，ＬＮ1 におけるビット割り付けの一例を示す略線図である。
【図９】ＢＲＲエンコーダとＥＣＣエンコーダとの間のインターフェイスに用いられる信号のフォーマットを示す概念図である。
【図１０】エラー訂正ブロックの構成の一例を示す概念図である。
【図１１】エラー訂正ブロックの構成の一例を示す概念図である。
【図１２】エラー訂正ブロックにおける１シンクブロックの構成を、ビデオデータを例にとって示す概念図である。
【符号の説明】
４・・・磁気テープ、１２・・・コプロセッサ、１３・・・インプットフィルタ、１８，１９・・・ＢＲＲエンコーダ、２２・・・ＥＣＣエンコーダ、３０・・・タイミングジェネレータ、４１，４８・・・ＥＣＣデコーダ、４３，５０・・・ＢＲＲデコーダ、４５・・・コンシール回路、５５・・・アウトプットフィルタ、ＬＮ・・・ライン番号
【図１】
0003882257.tif 000002
【図２】
0003882257.tif 000003
【図３】
0003882257.tif 000004
【図４】
0003882257.tif 000005
【図５】
0003882257.tif 000006
【図６】
0003882257.tif 000007
【図７】
0003882257.tif 000008
【図８】
0003882257.tif 000009
【図９】
0003882257.tif 000010
【図１０】
0003882257.tif 000011
【図１１】
0003882257.tif 000012
【図１２】
0003882257.tif 000013